(57)【要約】  実施形態に係る無線端末は、移動可能な通信装置によって管理され、かつ前記通信装置の移動に伴って移動する移動セルから、前記移動セルを識別するための識別情報を受信するレシーバを備える。前記レシーバは、近傍サービスにおける直接的な無線リンクであるサイドリンクにおいて前記識別情報を受信する。
2017130743.tif 000002
【特許請求の範囲】
【請求項１】
無線端末であって、
移動可能な通信装置によって管理され、かつ前記通信装置の移動に伴って移動する移動セルから、前記移動セルを識別するための識別情報を受信するレシーバを備え、
前記レシーバは、近傍サービスにおける直接的な無線リンクであるサイドリンクにおいて前記識別情報を受信する無線端末。
【請求項２】
前記識別情報に基づいて、前記移動セルからの無線信号に関する測定を制御するコントローラをさらに備える請求項１に記載の無線端末。
【請求項３】
前記レシーバは、前記サイドリンクにおいて特別な同期信号を前記移動セルから受信し、
前記無線端末は、前記特別な同期信号に基づいて前記移動セルとの同期を確立するコントローラをさらに備える請求項１に記載の無線端末。
【請求項４】
前記レシーバは、下りリンクにおける同期信号と異なる方法により送信される特別な同期信号を前記移動セルから受信し、
前記無線端末は、前記特別な同期信号に基づいて前記移動セルとの同期を確立するコントローラをさらに備える請求項１に記載の無線端末。
【請求項５】
前記特別な同期信号は、前記同期信号と送信パターンが異なる請求項４に記載の無線端末。
【請求項６】
前記無線端末のサービングセルを管理する基地局へ、前記識別情報を受信する前に、移動セルへの接続に興味があることを示すインディケーションを送信するトランスミッタをさらに備え、
前記レシーバは、前記インディケーションの送信に応じて、前記識別情報を受信するための情報を前記基地局から受信する請求項１に記載の無線端末。
【請求項７】
前記無線端末のサービングセルを管理する基地局へ、前記識別情報を送信するトランスミッタをさらに備え、
前記レシーバは、前記識別情報の送信に応じて、前記移動セルからの無線信号を測定するための設定情報を前記基地局から受信する請求項１に記載の無線端末。
【請求項８】
前記設定情報に基づいて、前記移動セルからの参照信号を測定するコントローラをさらに備え、
前記トランスミッタは、前記参照信号の測定結果を前記基地局へ送信し、
前記参照信号は、前記下りリンクにおける参照信号又は前記サイドリンクにおける参照信号である請求項７に記載の無線端末。
【請求項９】
前記無線端末のサービングセルを管理する基地局へ、前記識別情報を受信する前に、移動セルへの接続に興味があることを示すインディケーションを送信するトランスミッタをさらに備え、
前記トランスミッタは、前記移動セルへアクセスが可能である場合にのみ、前記インディケーションを送信する請求項１に記載の無線端末。
【請求項１０】
移動可能な通信装置であって、
前記通信装置の移動に伴って移動する移動セルを管理するコントローラと、
前記移動セルを識別するための識別情報を送信するトランスミッタと、を備え、
前記トランスミッタは、近傍サービスにおける直接的な無線リンクであるサイドリンクを介して前記識別情報を送信する通信装置。
【請求項１１】
前記トランスミッタは、下りリンクにおいて同期信号を送信せずに、前記サイドリンクにおいて特別な同期信号を送信し、
前記特別な同期信号は、無線端末が前記移動セルと同期を確立するための信号である請求項１０に記載の通信装置。
【請求項１２】
前記トランスミッタは、前記下りリンクにおける同期信号と異なる方法により特別な同期信号を送信し、
前記特別な同期信号は、無線端末が前記移動セルと同期を確立するための信号である請求項１０に記載の通信装置。
【請求項１３】
前記トランスミッタは、前記同期信号と送信パターンが異なる方法により前記特別な同期信号を送信する請求項１２に記載の通信装置。
【請求項１４】
基地局であって、
近傍サービスにおける直接的な無線リンクであるサイドリンクにおいて移動セルを識別するための識別情報を受信した無線端末から、前記識別情報を受信するレシーバと、
前記識別情報に基づいて、前記移動セルからの無線信号を測定するための設定情報を前記無線端末へ送信するトランスミッタと、を備える基地局。
【請求項１５】
前記レシーバは、前記識別情報を受信する前に、移動セルへの接続に興味があることを示すインディケーションを前記無線端末から受信し、
前記トランスミッタは、前記インディケーションの受信に応じて、前記識別情報を受信するための情報を前記無線端末へ送信する請求項１４に記載の基地局。
【請求項１６】
前記レシーバは、前記無線端末から、前記移動セルからの前記サイドリンクにおける参照信号の測定結果を受信し、
前記基地局は、前記測定結果に基づいて、前記無線端末を前記移動セルへハンドオーバさせるか否かを判断するコントローラをさらに備え、
前記参照信号は、前記下りリンクにおける参照信号又は前記サイドリンクにおける参照信号である請求項１４に記載の基地局。
【発明の詳細な説明】
【技術分野】
【０００１】
本出願は、通信システムにおいて用いられる無線端末、通信装置及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（Ｌｏｎｇ  Ｔｅｒｍ  Ｅｖｏｌｕｔｉｏｎ）を高度化する仕様策定が進められている（例えば非特許文献１参照）。【０００３】
近年、急増するトラフィック需要に応えるべく、例えば、公共の交通機関である電車やバスに、セルを管理する通信装置を備え付けることが検討されている。通信装置が管理するセルは、通信装置の移動に伴って移動するため、移動セル（Ｍｏｖｉｎｇ  Ｃｅｌｌ）と称されることがある。【０００４】
無線端末が、移動セル（通信装置）へ接続（アクセス）するための手順は、仕様化されていない。
【先行技術文献】
【非特許文献】
【０００５】
【非特許文献１】３ＧＰＰ技術仕様書「ＴＳ３６．３００  Ｖ１３．１．０」  ２０１５年９月２４日
【発明の概要】
【０００６】
一の実施形態に係る無線端末は、移動可能な通信装置によって管理され、かつ前記通信装置の移動に伴って移動する移動セルから、前記移動セルを識別するための識別情報を受信するレシーバを備える。前記レシーバは、近傍サービスにおける直接的な無線リンクであるサイドリンクにおいて前記識別情報を受信する。
【０００７】
一の実施形態に係る通信装置は、移動可能である。前記通信装置は、前記通信装置の移動に伴って移動する移動セルを管理するコントローラと、前記移動セルを識別するための識別情報を送信するトランスミッタと、を備える。前記トランスミッタは、近傍サービスにおける直接的な無線リンクであるサイドリンクを介して前記識別情報を送信する。
【０００８】
一の実施形態に係る基地局は、近傍サービスにおける直接的な無線リンクであるサイドリンクにおいて移動セルを識別するための識別情報を受信した無線端末から、前記識別情報を受信するレシーバと、前記識別情報に基づいて、前記移動セルからの無線信号を測定するための設定情報を前記無線端末へ送信するトランスミッタと、を備える。
【図面の簡単な説明】
【０００９】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、ＵＥ１００のブロック図である。
【図５】図５は、ｅＮＢ２００のブロック図である。
【図６】図６は、第１実施形態に係る動作を説明するためのシーケンス図である。
【図７】図７は、第２実施形態に係る動作を説明するためのシーケンス図である。
【図８】図８は、特別な同期信号を説明するための図（その１）である。
【図９】図９は、特別な同期信号を説明するための図（その２）である。
【図１０】図１０は、特別な同期信号を説明するための図（その３）である。
【図１１】図１１は、特別な同期信号を説明するための図（その４）である。
【図１２】図１２は、特別な同期信号を説明するための図（その５）である。
【図１３】図１３は、第３実施形態に係る動作を説明するためのシーケンス図である。
【発明を実施するための形態】
【００１０】
［実施形態の概要］
基地局が管理する既存のセル（一般セル）と同じ手順により、無線端末が、移動セルへ接続する場合、様々な問題が生じる可能性がある。
【００１１】
一の実施形態に係る無線端末は、移動可能な通信装置によって管理され、かつ前記通信装置の移動に伴って移動する移動セルから、前記移動セルを識別するための識別情報を受信するレシーバを備える。前記レシーバは、近傍サービスにおける直接的な無線リンクであるサイドリンクにおいて前記識別情報を受信する。
【００１２】
前記無線端末は、前記識別情報に基づいて、前記移動セルからの無線信号に関する測定を制御するコントローラをさらに備えてもよい。
【００１３】
前記レシーバは、前記サイドリンクにおいて特別な同期信号を前記移動セルから受信してもよい。前記無線端末は、前記特別な同期信号に基づいて前記移動セルとの同期を確立するコントローラをさらに備えてもよい。
【００１４】
前記レシーバは、下りリンクにおける同期信号と異なる方法により送信される特別な同期信号を前記移動セルから受信してもよい。前記無線端末は、前記特別な同期信号に基づいて前記移動セルとの同期を確立するコントローラをさらに備えてもよい。
【００１５】
前記特別な同期信号は、前記同期信号と送信パターンが異なってもよい。
【００１６】
前記無線端末は、前記無線端末のサービングセルを管理する基地局へ、前記識別情報を受信する前に、移動セルへの接続に興味があることを示すインディケーションを送信するトランスミッタをさらに備えてもよい。前記レシーバは、前記インディケーションの送信に応じて、前記識別情報を受信するための情報を前記基地局から受信してもよい。
【００１７】
前記無線端末のサービングセルを管理する基地局へ、前記識別情報を送信するトランスミッタをさらに備えてもよい。前記レシーバは、前記識別情報の送信に応じて、前記移動セルからの無線信号を測定するための設定情報を前記基地局から受信してもよい。
【００１８】
前記無線端末は、前記設定情報に基づいて、前記移動セルからの参照信号を測定するコントローラをさらに備えてもよい。前記トランスミッタは、前記参照信号の測定結果を前記基地局へ送信してもよい。前記参照信号は、前記下りリンクにおける参照信号又は前記サイドリンクにおける参照信号であってもよい。
【００１９】
前記無線端末は、前記無線端末のサービングセルを管理する基地局へ、前記識別情報を受信する前に、移動セルへの接続に興味があることを示すインディケーションを送信するトランスミッタをさらに備えてもよい。前記トランスミッタは、前記移動セルへアクセスが可能である場合にのみ、前記インディケーションを送信してもよい。
【００２０】
一の実施形態に係る通信装置は、移動可能である。前記通信装置は、前記通信装置の移動に伴って移動する移動セルを管理するコントローラと、前記移動セルを識別するための識別情報を送信するトランスミッタと、を備える。前記トランスミッタは、近傍サービスにおける直接的な無線リンクであるサイドリンクを介して前記識別情報を送信する。
【００２１】
前記トランスミッタは、下りリンクにおいて同期信号を送信せずに、前記サイドリンクにおいて特別な同期信号を送信してもよい。前記特別な同期信号は、無線端末が前記移動セルと同期を確立するための信号であってもよい。
【００２２】
前記トランスミッタは、前記下りリンクにおける同期信号と異なる方法により特別な同期信号を送信してもよい。前記特別な同期信号は、無線端末が前記移動セルと同期を確立するための信号であってもよい。
【００２３】
前記トランスミッタは、前記同期信号と送信パターンが異なる方法により前記特別な同期信号を送信してもよい。
【００２４】
一の実施形態に係る基地局は、近傍サービスにおける直接的な無線リンクであるサイドリンクにおいて移動セルを識別するための識別情報を受信した無線端末から、前記識別情報を受信するレシーバと、前記識別情報に基づいて、前記移動セルからの無線信号を測定するための設定情報を前記無線端末へ送信するトランスミッタと、を備える。
【００２５】
前記レシーバは、前記識別情報を受信する前に、移動セルへの接続に興味があることを示すインディケーションを前記無線端末から受信してもよい。前記トランスミッタは、前記インディケーションの受信に応じて、前記識別情報を受信するための情報を前記無線端末へ送信してもよい。
【００２６】
前記レシーバは、前記無線端末から、前記移動セルからの前記サイドリンクにおける参照信号の測定結果を受信してもよい。前記基地局は、前記測定結果に基づいて、前記無線端末を前記移動セルへハンドオーバさせるか否かを判断するコントローラをさらに備えてもよい。前記参照信号は、前記下りリンクにおける参照信号又は前記サイドリンクにおける参照信号であってもよい。
【００２７】
（移動通信システム）
以下において、実施形態に係る移動通信システムであるＬＴＥシステムについて説明する。図１は、ＬＴＥシステムの構成を示す図である。
【００２８】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。また、セルラネットワークのオペレータにより管理されない外部ネットワークには、Ｓｅｒｖｅｒ４００が設けられる。
【００２９】
ＵＥ１００は、無線端末に相当する。ＵＥ１００は、移動型の通信装置であり、セル（サービングセル）との無線通信を行う。ＵＥ１００の構成については後述する。
【００３０】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３２】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、Ｐ−ＧＷ（Ｐａｃｋｅｔ  Ｄａｔａ  Ｎｅｔｗｏｒｋ  Ｇａｔｅｗａｙ）３５０とを含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。Ｐ−ＧＷ３５０は、外部ネットワークから（及び外部ネットワークに）ユーザデータを中継する制御を行う。
【００３３】
Ｓｅｒｖｅｒ４００は、例えば、ＰｒｏＳｅアプリケーションサーバ（ＰｒｏＳｅ  Ａｐｐｌｉｃａｔｉｏｎ  Ｓｅｒｖｅｒ）である。この場合、Ｓｅｒｖｅｒ４００は、ＰｒｏＳｅにおいて用いられる識別子を管理する。例えば、Ｓｅｒｖｅｒ４００は、「ＥＰＣ  ＰｒｏＳｅ  ユーザＩＤ」及び「ＰｒｏＳｅファンクションＩＤ」を記憶する。また、Ｓｅｒｖｅｒ４００は、「アプリケーションレイヤユーザＩＤ」と「ＥＰＣ  ＰｒｏＳｅ  ユーザＩＤ」とをマッピングする。
【００３４】
また、Ｓｅｒｖｅｒ４００は、ＰｒｏＳｅ機能を有していてもよい。ＰｒｏＳｅ機能は、ＰｒｏＳｅに必要なネットワーク関連動作のために用いられる論理機能である。ＰｒｏＳｅ機能は、ＰｒｏＳｅの特徴毎に異なる役割を果たす。Ｓｅｒｖｅｒ４００は、ＰｒｏＳｅ機能のみを有するネットワーク装置であってもよい。
【００３５】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３９】
ＰＤＣＰ層は、ヘッダ圧縮・伸張、及び暗号化・復号化を行う。
【００４０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態（コネクティッド状態）であり、そうでない場合、ＵＥ１００はＲＲＣアイドル状態（アイドル状態）である。
【００４１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４２】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４３】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４４】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００４５】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００４６】
（近傍サービス）
以下において、「ＰｒｏＳｅ（Ｐｒｏｘｉｍｉｔｙ−ｂａｓｅｄ  Ｓｅｒｖｉｃｅｓ）」について説明する。ＰｒｏＳｅにおいて、複数のＵＥ１００は、ｅＮＢ２００を介さない直接的な無線リンクを介して各種の信号を送受信する。ＰｒｏＳｅは、「サイドリンク（Ｓｉｄｅｌｉｎｋ）」と称される。
【００４７】
「Ｓｉｄｅｌｉｎｋ」は、直接ディスカバリ及び直接通信のためのＵＥ−ＵＥ間インターフェイスである。「Ｓｉｄｅｌｉｎｋ」は、ＰＣ５インターフェイスに対応する。ＰＣ５は、直接ディスカバリ、直接通信及び近傍サービスによるＵＥ・ネットワーク中継のための制御及びユーザプレーンのために用いられる近傍サービスを利用可能なＵＥ間の参照点である。ＰＣ５インターフェイスは、ＰｒｏＳｅにおけるＵＥ−ＵＥ間インターフェイスである。
【００４８】
ＰｒｏＳｅのモードとしては、「直接ディスカバリ（Ｄｉｒｅｃｔ  Ｄｉｓｃｏｖｅｒｙ）」及び「直接通信（Ｄｉｒｅｃｔ  Ｃｏｍｍｕｎｉｃａｔｉｏｎ）」の２つのモードが規定されている。
【００４９】
直接ディスカバリは、特定の宛先を指定しないディスカバリ信号をＵＥ間で直接的に伝送することにより、相手先を探索するモードである。また、直接ディスカバリは、ＰＣ５を介してＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）における直接無線信号を用いて、ＵＥの近傍における他のＵＥを発見するための手順である。或いは、直接ディスカバリは、Ｅ−ＵＴＲＡ技術で２つのＵＥ１００の能力のみを用いて、近傍サービスを実行可能な他のＵＥ１００を発見するために近傍サービスを実行可能なＵＥ１００によって採用される手順である。直接ディスカバリは、ＵＥ１００がＥ−ＵＴＲＡＮ（ｅＮＢ２００（セル））によってサービスが提供される場合にのみ、サポートされる。ＵＥ１００は、セル（ｅＮＢ２００）に接続又はセルに在圏している場合、Ｅ−ＵＴＲＡＮによってサービスが提供され得る。
【００５０】
ディスカバリ信号（ディスカバリメッセージ）の送信（アナウンスメント）のためのリソース割り当てタイプには、ＵＥ１００が無線リソースを選択する「タイプ１」と、ｅＮＢ２００が無線リソースを割り当てる「タイプ２（タイプ２Ｂ）」と、がある。
【００５１】
「Ｓｉｄｅｌｉｎｋ  Ｄｉｒｅｃｔ  Ｄｉｓｃｏｖｅｒｙ」プロトコルスタックは、物理（ＰＨＹ）層、ＭＡＣ層、及びＰｒｏＳｅプロトコルを含む。ＵＥ（Ａ）の物理層とＵＥ（Ｂ）の物理層との間では、物理サイドリンクディスカバリチャネル（ＰＳＤＣＨ）と称される物理チャネルを介してディスカバリ信号が伝送される。ＵＥ（Ａ）のＭＡＣ層とＵＥ（Ｂ）のＭＡＣ層との間では、サイドリンクディスカバリチャネル（ＳＬ−ＤＣＨ）と称されるトランスポートチャネルを介してディスカバリ信号が伝送される。
【００５２】
直接通信は、特定の宛先（宛先グループ）を指定してデータをＵＥ間で直接的に伝送するモードである。また、直接通信は、いずれのネットワークノードを通過しない経路を介してＥ−ＵＴＲＡ技術を用いたユーザプレーン伝送による、近傍サービスを実行可能である２以上のＵＥ間の通信である。
【００５３】
直接通信のリソース割り当てタイプには、直接通信の無線リソースをｅＮＢ２００が指定する「モード１」と、直接通信の無線リソースをＵＥ１００が選択する「モード２」と、がある。
【００５４】
直接通信プロトコルスタックは、物理（ＰＨＹ）層、ＭＡＣ層、ＲＬＣ層、及びＰＤＣＰ層を含む。ＵＥ（Ａ）の物理層とＵＥ（Ｂ）の物理層との間では、物理サイドリンク制御チャネル（ＰＳＣＣＨ）を介して制御信号が伝送され、物理サイドリンク共有チャネル（ＰＳＳＣＨ）を介してデータが伝送される。また、物理サイドリンクブロードキャストチャネル（ＰＳＢＣＨ）を介して同期信号等が伝送されてもよい。ＵＥ（Ａ）のＭＡＣ層とＵＥ（Ｂ）のＭＡＣ層との間では、サイドリンク共有チャネル（ＳＬ−ＳＣＨ）と称されるトランスポートチャネルを介してデータが伝送される。ＵＥ（Ａ）のＲＬＣ層とＵＥ（Ｂ）のＲＬＣ層との間では、サイドリンクトラフィックチャネル（ＳＴＣＨ）と称される論理チャネルを介してデータが伝送される。
【００５５】
また、「Ｓｉｄｅｌｉｎｋ」は、ＵＥ−ＵＥ間インターフェイスだけでなく、後述する通信装置とＵＥとの間のインターフェイスであってもよい。従って、「近傍サービス」における説明において、「ＵＥ」を後述する「通信装置（移動セル）」と置き換えることができる。なお、ＰｒｏＳｅにおける直接的な無線リンクを「Ｓｉｄｅｌｉｎｋ」と称してもよい。
【００５６】
（無線端末）
以下において、実施形態に係るＵＥ１００（無線端末）について説明する。図４は、ＵＥ１００のブロック図である。図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００５７】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換してコントローラ１３０に出力する。
【００５８】
なお、ＵＥ１００は、「ＰｒｏＳｅ−ｅｎａｂｌｅｄ  Ｐｕｂｌｉｃ  Ｓａｆｅｔｙ  ＵＥ」である場合、レシーバ１１０は、異なる２つの周波数における無線信号を同時に受信可能である。例えば、ＵＥ１００は、２つのレシーバ１１０（２  ＲＸ  Ｃｈａｉｎ）を有する。ＵＥ１００は、一方のレシーバ１１０によりセルラ用の無線信号を受信でき、他方のレシーバ１１０によりＰｒｏＳｅ用の無線信号を受信できる。
【００５９】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換してアンテナから送信する。
【００６０】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００６１】
ＵＥ１００は、ＧＮＳＳ受信機を備えていてもよい。ＧＮＳＳ受信機は、ＵＥ１００の地理的な位置を示す位置情報を得るために、ＧＮＳＳ信号を受信して、受信した信号をコントローラ１３０に出力する。或いは、ＵＥ１００は、ＵＥ１００の位置情報を取得するためのＧＰＳ機能を有していてもよい。
【００６２】
なお、以下で説明するＵＥ１００が実行する処理（動作）について、ＵＥ１００が備えるレシーバ１１０、トランスミッタ１２０、コントローラ１３０の少なくともいずれかが実行するが、便宜上、ＵＥ１００が実行する処理として説明する。
【００６３】
（基地局）
以下において、実施形態に係るｅＮＢ２００（基地局）について説明する。図５は、ｅＮＢ２００のブロック図である。図５に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００６４】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換してコントローラ２３０に出力する。
【００６５】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換してアンテナから送信する。
【００６６】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００６７】
ネットワークインターフェイス２４０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２４０は、Ｘ２インターフェイス上で行う通信及びＳ１インターフェイス上で行う通信等に使用される。
【００６８】
なお、以下で説明するｅＮＢ２００が実行する処理（動作）について、ｅＮＢ２００が備えるトランスミッタ２１０、レシーバ２２０、コントローラ２３０、ネットワークインターフェイス２４０の少なくともいずれかが実行するが、便宜上、ｅＮＢ２００が実行する処理として説明する。
【００６９】
（通信装置）
以下において、実施形態に係る通信装置について説明する。本実施形態において、通信装置は、移動セル（Ｍｏｖｉｎｇ  Ｃｅｌｌ）を管理する。通信装置は、移動可能である。例えば、通信装置は、移動が可能な車両（例えば、電車、バスなど）に備え付けられる。通信装置は、車両の移動によって、移動可能であってもよい。また、通信装置自体が、移動することによって、移動可能であってもよい。
【００７０】
また、移動セルは、移動可能な通信装置によって管理される。また、移動セルは、通信装置の移動に伴って移動するセルである。なお、基本的に移動できないｅＮＢ２００が管理する既存のセルを一般セルと適宜称する。一般セルは、移動しないセルである。
【００７１】
通信装置は、上述のＵＥ１００のブロック図と同様に、レシーバ、トランスミッタ、及びコントローラを備えていてもよい。或いは、通信装置は、ｅＮＢ２００のブロック図と同様に、レシーバ、トランスミッタ、及びコントローラに加えて、さらにネットワークインターフェイスを備えていてもよい。ネットワークインターフェイスは、無線により、Ｘ２インターフェイスを介して隣接ｅＮＢ２００と接続されていてもよく、Ｓ１インターフェイスを介してＭＭＥ／Ｓ−ＧＷ３００と接続されていてもよい。
【００７２】
本実施形態において、通信装置（移動セル）は、トランスミッタにより、下りリンクにおける無線信号だけでなく、サイドリンクにおける無線信号（サイドリンク信号）を送信することができる。通信装置は、ＵＥと同じ機能を有することにより、ＵＥとしてサイドリンクにおける無線信号を送信できてもよい。また、通信装置は、セルとして、サイドリンクにおける無線信号を送信できてもよい。
【００７３】
なお、以下において、通信装置が実行する処理（動作）を移動セルが実行する処理（動作）として説明することがある。また、以下で説明する通信装置（移動セル）が実行する処理（動作）について、通信装置が備えるトランスミッタ、レシーバ、コントローラ、ネットワークインターフェイスの少なくともいずれかが実行するが、便宜上、通信装置（移動セル）が実行する処理として説明する。
【００７４】
［第１実施形態］
次に、第１実施形態に係る動作ついて、図６を用いて説明する。図６は、第１実施形態に係る動作を説明するためのシーケンス図である。
【００７５】
図６において、ＵＥ１００は、ｅＮＢ２００−１が管理するセル（サービングセル）に在圏している。ＵＥ１００は、サービングセルにおいて、アイドル状態又はコネクティッド状態である。なお、ＵＥ１００は、セルに在圏している場合、セル（ｅＮＢ）からの無線信号を受信可能な状態である。
【００７６】
移動セル（ＭＣ）２５０を管理する通信装置の移動に伴って、ＭＣ２５０内に、ＵＥが位置するケースを想定する。ＭＣ２５０は、ｅＮＢ２００のセルと少なくとも一部が重複する。ＭＣ２５０は、ｅＮＢ２００のセルよりも小さいセルであってもよい。
【００７７】
図６に示すように、ＭＣ２５０（通信装置）は、通常のセルにおいて送信される下りリンクにおける同期信号（ＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  ｓｉｇｎａｌ））を送信しない。これにより、ＭＣ２５０への接続に興味がないＵＥ１００が接続することを防ぐことができる。また、ＭＣ２５０が下りリンクにおける同期信号を送信する場合には、ＭＣ２５０の移動に伴って、干渉が発生したり、物理層セル識別子の衝突／混同が発生したりする可能性がある。ＭＣ２５０が下りリンクにおける同期信号を送信しないことにより、干渉及び物理層セル識別子の衝突／混同を抑制することができる。
【００７８】
ステップＳ１０１において、ＵＥ１００は、ＭＣ２５０への接続に興味があることを示す興味インディケーション（Ｉｎｔｅｒｅｓｔ  Ｉｎｄｉｃａｔｉｏｎ）をｅＮＢ２００（サービングセル）へ送信する。
【００７９】
ＵＥ１００は、ユーザからの操作に基づいて、興味インディケーションをｅＮＢ２００へ送信してもよい。また、ＵＥ１００は、ＵＥ１００の環境（例えば、無線環境）によって、興味インディケーションをｅＮＢ２００へ送信してもよい。例えば、ＵＥ１００は、車両に乗車した場合に、興味インディケーションをｅＮＢ２００へ送信してもよい。ＵＥ１００は、ＭＣ２５０への接続に興味があり、かつ、ＭＣ２５０へ接続可能である場合に、興味インディケーションをｅＮＢ２００へ送信してもよい。ＵＥ１００は、ＭＣ２５０からの無線信号（例えば、後述の特別な同期信号及び／又は後述の識別情報を含む無線信号）を受信した場合（ＭＣ２５０を発見した場合）に、ＭＣ２５０へ接続可能であると判断してもよい。ＵＥ１００は、ＭＣ２５０に接続したい意図を興味インディケーションに含めてもよい。
【００８０】
ｅＮＢ２００は、興味インディケーションをＵＥ１００から受信する。ｅＮＢ２００は、興味インディケーションを受信した場合、ステップＳ１０２の処理を実行できる。
【００８１】
ステップＳ１０２において、ｅＮＢ２００は、ＭＣ２５０を識別するための識別情報を受信（モニタ）するためのモニタ情報（Ｍｏｖｉｎｇ  ｃｅｌｌ  ｄｉｓｃｏｖｅｒｙ  ｍｏｎｉｔｏｒｉｎｇ  ｃｏｎｆｉｇ．）をＵＥ１００へ送信する。ｅＮＢ２００は、個別シグナリングにより、ＵＥ１００へモニタ情報を送信できる。
【００８２】
ｅＮＢ２００は、興味インディケーションの受信に応じて、モニタ情報をＵＥ１００へ送信する。ＵＥ１００は、インディケーションの送信に応じて、モニタ情報をｅＮＢ２００から受信する。
【００８３】
モニタ情報は、例えば、ＭＣ２５０からサイドリンクにおいて送信される識別情報を受信（モニタ）するための設定（コンフィグレーション）をＵＥ１００へ行うための情報である。
【００８４】
モニタ情報は、例えば、ＭＣ２５０のサイドリンク信号（例えば、ディスカバリメッセージ）をＲＡＮレベルで識別するためのパラメータをＵＥ１００に設定するための情報を含んでもよい。
【００８５】
モニタ情報は、例えば、サイドリンク信号（例えば、ディスカバリメッセージ）が送信される無線リソースの位置を明示的に指示する情報を含んでもよい。当該情報は、（移動セルからのディスカバリメッセージを受信するための専用の）受信リソースプールを示す情報であってもよい。
【００８６】
モニタ情報は、例えば、ＭＣ２５０からのＰＳＤＣＨ受信用のスクランブリングパラメータを含んでもよい。ＵＥ１００は、スクランブル処理されたＰＳＤＣＨを解読するためにモニタ情報に含まれるスクランブリングパラメータを用いることができる。ＭＣ２５０は、後述するサイドリンクにおける無線信号をＰＳＤＣＨにより送信できる。なお、スクランブリングパラメータは、５１０で固定されていてもよい（ｃｉｎｉｔ＝５１０）。
【００８７】
モニタ情報は、例えば、他の情報との区別のために、識別情報を含んでいてもよい。当該識別情報は、ＭＡＣヘッダに含まれていてもよい。識別情報は、ＭＣ２５０からのサイドリンク信号を受信するためのモニタ情報か、ＵＥ１００からのサイドリンク信号を受信するための情報（例えば、モニタリソース情報）かを示してもよい。
【００８８】
モニタ情報は、ＭＣ２５０からのサイドリンクにおける無線信号を受信（モニタ）するためのウィンドウを指示してもよい。
【００８９】
ステップＳ１０３において、ＭＣ２５０は、サイドリンクにおいて特別な同期信号を送信する。本実施形態において、特別な同期信号は、サイドリンクにおいて送信される同期信号である。ＵＥ１００は、特別な同期信号をＭＣ２５０（通信装置）から受信する。ＵＥ１００は、特別な同期信号に基づいて、ＭＣ２５０（通信装置）との同期を確立する。
【００９０】
特別な同期信号は、ＰＳＢＣＨを介して送信されるサイドリンク同期信号（ＳＬＳＳ：Ｓｉｄｅｌｉｎｋ  Ｓｙｎｃｈｒｏｎｉｚａｔｉｏｎ  Ｓｉｇｎａｌ）である。ＳＬＳＳは、プライマリサイドリンク同期信号（ＰＳＳＳ：Ｐｒｉｍａｒｙ  Ｓｉｄｅｌｉｎｋ  Ｓｙｎｃｈｒｏｎｉｚａｔｉｏｎ  Ｓｉｇｎａｌ）及びセカンダリサイドリンク同期信号（ＳＳＳＳ：Ｓｅｃｏｎｄａｒｙ  Ｓｉｄｅｌｉｎｋ  Ｓｙｎｃｈｒｏｎｉｚａｔｉｏｎ  Ｓｉｇｎａｌ）からなる。ＭＣ２５０は、特別な同期信号と共に、サイドリンクにおいて送信されるＭＩＢ−ＳＬ（ＭａｓｔｅｒＩｎｆｏｒｍａｔｉｏｎＢｌｏｃｋ−ＳＬ）を送信してもよい。ＭＣ２５０は、ＭＩＢ−ＳＬを送信せずに、特別な同期信号のみを送信してもよい。ＭＩＢ−ＳＬは、ｄｉｒｅｃｔＦｒａｍｅＮｕｍｂｅｒ、ｄｉｒｅｃｔＳｕｂｆｒａｍｅＮｕｍｂｅｒ、ｉｎＣｏｖｅｒａｇｅ、の少なくともいずれかの情報を含んでいてもよい。ｄｉｒｅｃｔＦｒａｍｅＮｕｍｂｅｒは、ＳＬＳＳ及びＳＬ−ＢＣＨ（サイドリンク用のブロードキャストチャネル）が送信されるフレーム番号を示す。ｄｉｒｅｃｔＦｒａｍｅＮｕｍｂｅｒに対応するフレームにおけるサブフレームは、ｄｉｒｅｃｔＳｕｂｆｒａｍｅＮｕｍｂｅｒによって示される。ｉｎＣｏｖｅｒａｇｅでは、真値（ＴＲＵＥ  Ｖａｌｕｅ）がＭＩＢ−ＳＬを送信する送信元がＥ−ＵＴＲＡＮカバレッジ内であることを示す。ｉｎＣｏｖｅｒａｇｅでは、偽値（Ｆａｌｓｅ  Ｖａｌｕｅ）がＭＩＢ−ＳＬを送信する送信元がＥ−ＵＴＲＡＮカバレッジ外であることを示す。
【００９１】
ＭＣ２５０は、特別な同期信号をＤｉｓｃｏｖｅｒｙ期間毎に送信してもよい。Ｄｉｓｃｏｖｅｒｙ期間は、ディスカバリメッセージの送信／受信用に設けられた期間である。Ｄｉｓｃｏｖｅｒｙ期間は、ディスカバリメッセージ送信／受信のための無線リソースが割り当てられている（配置されている）期間であってもよい。
【００９２】
また、ＭＣ２５０は、ｅＮＢ２００からの指示に基づいて、特別な同期信号の送信を開始してもよい。ｅＮＢ２００は、興味インディケーションをＵＥ１００から受信した場合に、ＭＣ２５０（通信装置）へ特別な同期信号の送信を開始するための指示を送信してもよい。
【００９３】
また、ＭＣ２５０は、一般セル（及びＵＥ１００）が使用できない特別なＳＬＳＳ識別子（ＳＬＳＳ  ＩＤ）を特別な同期信号に含めてもよい。特別なＳＬＳＳ識別子は、移動セルを識別するための識別子である。ＵＥ１００は、特別なＳＬＳＳ識別子を含む特別な同期信号を受信することにより、特別な同期信号の送信元がＭＣ（移動セル）であることを判断してもよい。例えば、ＭＣ２５０は、セル内に在圏するＵＥ１００がＳＬＳＳ識別子に使用しない値である１６８から３３５のいずれかを示すＳＬＳＳ識別子を、特別なＳＬＳＳ識別子として使用してもよい。この場合、ＭＣ２５０は、（特別な）同期信号の送信元が移動セルであることをＵＥ１００に知らせるために、特別なＳＬＳＳ識別子を用いると共に、ＭＩＢ−ＳＬに含まれるｉｎＣｏｖｅｒａｇｅが真値を設定してもよい。ＵＥ１００は、受信した同期信号（特別な同期信号）が特別なＳＬＳＳ識別子を含み、かつｉｎＣｏｖｅｒａｇｅが真値を示す場合に、受信した同期信号（特別な同期信号）の送信元がＭＣ（移動セル）であると判断してもよい。
【００９４】
ＵＥ１００は、ＭＣ２５０からの同期信号に基づいて、ＭＣ２５０との同期を確立する。ＵＥ１００は、モニタ情報に基づいて、ｅＮＢ２００から指示されたウィンドウに基づいて、受信を試行してもよい。ＵＥ１００は、ＭＣ２５０からのＭＩＢ−ＳＬに基づいて、ＳＦＮ（システムフレーム番号）及び／又はサブフレームを取得できる。
【００９５】
ステップＳ１０４において、ＭＣ２５０は、サイドリンクにおいて、ＭＣ２５０を識別するための識別情報を送信する。ＵＥ１００は、サイドリンクにおいて、識別情報を受信する。
【００９６】
識別情報は、例えば、移動セルを識別するためのセル識別子を含む。セル識別子は、物理層セル識別子（ＰＣＩ：Ｐｈｙｓｉｃａｌ−ｌａｙｅｒ  Ｃｅｌｌ−Ｉｄｅｎｔｉｔｙ）であってもよい。セル識別子は、セルグローバル識別子（ＣＧＩ：Ｃｅｌｌ  Ｇｌｏｂａｌ  Ｉｄｅｎｔｉｔｙ）であってもよい。識別情報は、ＭＣ２５０からの無線信号に関する測定（ＵＥ−ＭＣ間の無線測定）を制御するために用いられる。
【００９７】
ＭＣ２５０は、例えば、ディスカバリアナウンスメントにより識別情報を送信できる。ＭＣ２５０は、識別情報をＤｉｓｃｏｖｅｒｙ期間毎に送信してもよい。また、ＭＣ２５０は、ｅＮＢ２００からの指示に基づいて、識別情報の送信を開始してもよい。ｅＮＢ２００は、興味インディケーションをＵＥ１００から受信した場合に、ＭＣ２５０（通信装置）へ識別情報の送信を開始するための指示を送信してもよい。
【００９８】
なお、ＵＥ１００は、ＭＩＢ−ＳＬが送信されていないケースにおいて同期信号のシーケンスに基づいて、識別情報を受信（取得）してもよい。
【００９９】
ステップＳ１０５において、ＵＥ１００は、受信した識別情報をｅＮＢ２００へ報告する。ｅＮＢ２００は、ＵＥ１００から識別情報を受信する。識別情報は、ＰＣＩだけでなく、ＣＧＩを含んでいてもよい。
【０１００】
ステップＳ１０６において、ｅＮＢ２００は、ＭＣ２５０からの参照信号を測定するための設定情報をＵＥ１００へ送信する。ｅＮＢ２００は、識別情報に基づいて、個別シグナリング（例えば、ＲＲＣ再設定メッセージ）によりＵＥ１００へ設定情報を送信できる。ＵＥ１００は、識別情報の送信に応じて、設定情報をｅＮＢ２００から受信する。
【０１０１】
ｅＮＢ２００は、設定情報をＵＥ１００へ送信することにより、ＭＣ２５０からの参照信号を測定するための設定をＵＥ１００に設定する。ＵＥ１００には、ＭＣ２５０からの参照信号を測定するための設定がなされる。
【０１０２】
ｅＮＢ２００は、識別情報により識別されるＭＣ２５０からの参照信号を測定するための設定情報をＵＥ１００に送信してもよい。或いは、ｅＮＢ２００は、他のＭＣからの参照信号も測定可能な共通の設定情報をＵＥ１００に送信してもよい。
【０１０３】
ｅＮＢ２００は、ＵＥ１００から識別情報を受信した場合にのみ、ＵＥ１００へ設定情報を送信してもよい。この場合、ＵＥ１００主導で、ＭＣ用の測定設定をＵＥ１００へ設定することができる。これにより、ｅＮＢ２００は、ＭＣがｅＮＢ２００のセルから出入りする度に、ＭＣの測定を設定するためのＲＲＣ再設定を実行しなくてすむ。また、ｅＮＢ２００は、自セル内の全てのＵＥに、ＭＣの測定を設定するためのＲＲＣ再設定を実行しなくてもよい。このため、ＭＣのカバレッジが狭い場合（例えば、ＭＣが５ＧＨｚにおいて運用される場合）などに、ｅＮＢ２００は、ＭＣの測定を設定するためのＲＲＣ再設定を効率的に実行できる。また、ｅＮＢ２００は、移動するＭＣの位置を管理することなく、ＭＣの測定を設定するためのＲＲＣ再設定を実行できる。
【０１０４】
ステップＳ１０７において、ＵＥ１００は、設定情報に基づいて、ＭＣ２５０からの参照信号を測定する。ＵＥ１００は、識別情報に基づいて、ＭＣ２５０からの無線信号に関する測定（ＵＥ−ＭＣ間の無線測定）を制御する。具体的には、ＵＥ１００は、識別情報により、ＭＣ２５０からの無線信号を識別する。ＵＥ１００は、識別した無線信号に関する測定を実行する。
【０１０５】
ＵＥ１００は、例えば、ＭＣ２５０からの下りリンクにおける参照信号を測定できる。具体的には、ＵＥ１００は、ＭＣ２５０からのセル固有参照信号（ＣＲＳ：Ｃｅｌｌ−ｓｐｅｃｉｆｉｃ  Ｒｅｆｅｒｅｎｃｅ  Ｓｉｇｎａｌ）又はトラッキング用参照信号（ＴＲＳ：Ｔｒａｃｋｉｎｇ  Ｒｅｆｅｒｅｎｃｅ  Ｓｉｇｎａｌ）の受信レベル（受信強度（ＲＳＲＰ：Ｒｅｆｅｒｅｎｃｅ  Ｓｉｇｎａｌ  Ｒｅｃｅｉｖｅ  Ｐｏｗｅｒ）及び／又は受信品質（ＲＳＲＱ：Ｒｅｆｅｒｅｎｃｅ  Ｓｉｇｎａｌ  Ｒｅｃｅｉｖｅｄ  Ｑｕａｌｉｔｙ））を測定できる。
【０１０６】
また、ＵＥ１００は、例えば、ＭＣ２５０からのサイドリンクにおける無線信号を測定できる。具体的には、ＵＥ１００は、ＭＣ２５０からのサイドリンク信号の受信レベル（受信強度及び／又は受信品質）を測定できる。例えば、ＵＥ１００は、ＰＳＢＣＨが送信されるＲＢ（リソースブロック）における参照信号の受信レベル（受信強度（Ｓ−ＲＳＲＰ）及び受信品質（Ｓ−ＲＳＲＱ））を測定してもよい。また、ＵＥ１００は、ＰＳＤＣＨが送信されるＲＢにおける参照信号の受信レベル（受信強度（ＳＤ−ＲＳＲＰ）及び受信品質（ＳＤ−ＲＳＲＱ））を測定してもよい。
【０１０７】
ＭＣ２５０（通信装置）は、セル固有参照信号、トラッキング用参照信号及びサイドリンク参照信号の少なくともいずれかを送信できる。
【０１０８】
ステップＳ１０８において、ＵＥ１００は、ＭＣ２５０からの参照信号の測定結果をｅＮＢ２００へ送信（報告）する。ＵＥ１００は、下りリンクにおける参照信号及び／又はサイドリンクにおける参照信号の測定結果をｅＮＢ２００へ送信できる。ｅＮＢ２００は、ＭＣ２５０からの参照信号の測定結果をＵＥ１００から受信する。
【０１０９】
ｅＮＢ２００は、測定結果に基づいて、ＵＥ１００をＭＣ２５０へハンドオーバさせるか否かを判断する。ｅＮＢ２００は、ＭＣ２５０からの参照信号の受信レベルが閾値以上である場合に、ＵＥ１００をＭＣ２５０へハンドオーバさせると判断してもよい。ｅＮＢ２００は、ＭＣ２５０からの参照信号の受信レベルが閾値未満である場合に、ＵＥ１００をＭＣ２５０へハンドオーバさせないと判断してもよい。
【０１１０】
ｅＮＢ２００は、ＵＥ１００をＭＣ２５０へハンドオーバさせる場合、ステップＳ１０９の処理を実行する。
【０１１１】
ステップＳ１０９において、ｅＮＢ２００は、ＵＥ１００をＭＣ２５０へハンドオーバさせるためのハンドオーバ処理を実行する。例えば、ｅＮＢ２００は、ハンドオーバ要求をＭＣ２５０（通信装置）へ送信する。ｅＮＢ２００は、ＭＣ２５０からハンドオーバ要求ＡＣＫを受信した場合、ＵＥ１００からＭＣ２５０へハンドオーバさせるためのハンドオーバコマンドを送信する。ＵＥ１００は、ハンドオーバコマンドを受信した場合に、ＭＣ２５０（通信装置）とのＲＲＣ接続を確立するための制御を実行する。ＭＣ２５０（通信装置）は、ＭＣ２５０から識別情報を受信したＵＥ１００とＲＲＣ接続を確立する制御を実行する。その後、ＵＥ１００とＭＣ２５０とは、ＲＲＣ接続を確立し、通信を開始できる。
【０１１２】
なお、ＵＥ１００は、移動セルは、セルとして認識する。一方、ＵＥ１００は、サイドリンクにより、他のＵＥと接続を確立する場合、ＵＥ１００は、他のＵＥをＵＥとして認識する。ＵＥ１００は、他のＵＥとＲＲＣ接続を確立できない。
【０１１３】
以上のように、ＭＣ２５０は、サイドリンクにおいて、ＭＣを識別するための識別情報を送信する。ＵＥ１００は、サイドリンクにおいて、当該識別情報を受信する。ＵＥ１００は、一般セルと異なる方法により、セル（移動セル）を識別するための識別情報を取得する。ＵＥ１００は、識別情報により、ＭＣ２５０を識別できる。このため、ＭＣ２５０との接続を希望していないＵＥ１００が、当該ＵＥ１００とＭＣ２５０（通信装置）との接続（ＲＲＣ接続）を一般セルと同じように確立することを抑制できる。その結果、ＵＥ１００とＭＣとの間の不要なシグナリングを低減できる。
【０１１４】
［第２実施形態］
次に、第２実施形態について、図７から図１２を用いて説明する。図７は、第２実施形態に係る動作を説明するためのシーケンス図である。図８は、特別な同期信号を説明するための図（その１）である。図９は、特別な同期信号を説明するための図（その２）である。図１０は、特別な同期信号を説明するための図（その３）である。図１１は、特別な同期信号を説明するための図（その４）である。図１２は、特別な同期信号を説明するための図（その５）である。
【０１１５】
第２実施形態では、ＭＣ２５０（通信装置）が、特別な同期信号を、下りリンクにおける同期信号と異なる方法により送信するケースを説明する。なお、上述と同様の説明は、適宜省略する。
【０１１６】
図７において、ＭＣ２５０は、第１実施形態と同様に、下りリンクにおける同期信号を送信しない。さらに、ＭＣ２５０は、同期信号（ＰＳＳ／ＳＳＳ）だけでなく、ＣＲＳも送信しない。ＭＣ２５０は、少なくともＲｅｌ−８におけるＰＳＳ／ＳＳＳ／ＣＲＳを送信しない。
【０１１７】
ステップＳ２０１からＳ２０２は、ステップＳ１０１からＳ１０２に対応する。
【０１１８】
モニタ情報は、ステップＳ２０３における無線信号を受信するための情報（例えば、無線リソースの位置を明示的に指示する情報など）である。
【０１１９】
ステップＳ２０３において、ＭＣ２５０は、サイドリンクにおいて、ＭＣ２５０を識別するための識別情報を送信する。ステップＳ２０３は、ステップＳ１０４に対応する。
【０１２０】
ＭＣ２５０は、識別情報（ＰＣＩ、ＣＧＩなど）と共に、特別な同期信号を受信するための設定情報（Ｍｏｖｉｎｇ  ｃｅｌｌ  ＤＲＳ  ｃｏｎｆｉｇ．）を送信してもよい。特別な同期信号は、下りリンクにおける同期信号（ＰＳＳ／ＳＳＳ）と異なる方法により送信される。ＵＥ１００は、設定情報に基づいて、特別な同期信号を受信できる。設定情報は、ＭＣ２５０が上記ＭＣ−ＤＲＳの送信方法を特定するための情報であってもよい。
【０１２１】
ステップＳ２０４において、ＭＣ２５０は、特別な同期信号を送信する。特別な同期信号は、ＭＣ２５０専用の発見参照信号（Ｍｏｖｉｎｇ  ｃｅｌｌ  ＭＣ−ＤＲＳ：Ｍｏｖｉｎｇ  ｃｅｌｌ  Ｄｉｓｃｏｖｅｒｙ  Ｒｅｆｅｒｅｎｃｅ  Ｓｉｇｎａｌ）である。
【０１２２】
ＭＣ２５０は、以下の少なくともいずれかの方法によりＭＣ−ＤＲＳを送信する。
【０１２３】
第１に、ＭＣ２５０は、一般セルにおいて送信される同期信号（及びＤＲＳ）と異なる送信パターンにより、ＭＣ−ＤＲＳを送信する。
【０１２４】
図８Ａに示すように、一般セルでは、ＤＲＳは、静的及び周期的で送信される。具体的には、ＤＲＳが送信される１周期の最大値が５ｍｓｅｃであり、送信周期の間隔の最小値が４０ｍｓｅｃである。一方、図８Ｂに示されるように、移動セルでは、ＭＣ−ＤＲＳは、静的及び非周期的で送信される。例えば、ＤＲＳが送信される１周期の最大値が５ｍｓｅｃと６ｍｓｅｃとで切り替えられてもよい。ＭＣ−ＤＲＳ送信周期の間隔の最小値が非周期的であってもよい。
【０１２５】
ＭＣ２５０は、ｅＮＢ２００からの指示に従った送信パターンにより、ＭＣ−ＤＲＳを送信してもよい。また、ＭＣ２５０は、複数の送信パターンの候補の中から、自律的に送信パターンを選択してもよい。ＭＣ２５０は、複数の送信パターンの候補をｅＮＢ２００から提供されてもよい。
【０１２６】
第２に、ＭＣ２５０は、ＭＣのみが利用できる同期信号（ＭＳＳ：Ｍｏｖｉｎｇ  Ｃｅｌｌ  ｓｐｅｃｉｆｉｃ  Ｓｙｎｃｈｒｏｎｉｚａｔｉｏｎ  Ｓｉｇｎａｌ）により構成されるＭＣ−ＤＲＳを送信する（図９参照）。ＵＥ１００は、ＭＳＳを特定すると、直交符号系列（Ｚａｄｏｆｆ−ｃｈｕ系列）の系列番号が一意に特定可能である。
【０１２７】
ＰＳＳ／ＳＳＳとＭＳＳとの間隔（オフセット）は、固定されていてもよく、固定されていなくてもよい。オフセットが固定されていない場合、ＵＥ１００は、オフセットをＭＣ２５０からの設定情報により通知され得る。
【０１２８】
なお、ＭＣ２５０が、ＰＳＳ／ＳＳＳ／ＣＲＳ（及びチャネル状態情報参照信号（ＣＳＩ−ＲＳ：Ｃｈａｎｎｅｌ  Ｓｔａｔｅ  Ｉｎｆｏｒｍａｔｉｏｎ  ＲＳ））を送信できる場合、ＰＳＳ／ＳＳＳ／ＣＲＳ（及びＣＳＩ−ＲＳ）とＭＳＳとの組み合わせを、ＭＣ−ＤＲＳと規定してもよい。
【０１２９】
第３に、ＭＣ２５０は、一般セルが送信するＰＳＳ／ＳＳＳの配置と異なる位置に同期信号（ＰＳＳ／ＳＳＳ）を配置する（図１０参照）。
【０１３０】
例えば、ＰＳＳとＳＳＳとの間隔（オフセット）を変更する。ＵＥ１００は、オフセットをＭＣ２５０からの設定情報により通知され得る。ＵＥ１００は、ｅＮＢ２００からオフセットを通知されてもよい。オフセットがＭＮＣ（Ｍｏｂｉｌｅ  Ｎｅｔｗｏｒｋ  Ｃｏｄｅ）を示してもよい。
【０１３１】
なお、ＭＣ２５０は、ＭＣ−ＤＲＳに含まれるセル識別子（ＰＣＩ）として、既存の識別子と異なる識別子を用いてもよい。これにより、送信されたＭＣ−ＤＲＳがどのＭＣＳから送信されたものかをさらに識別可能である。
【０１３２】
例えば、ＳＳＳが取り得る値を拡張することによって、新たなＰＣＩが確保される（図１１参照）。拡張された値は、所定の識別子である。所定の識別子は、例えば、オペレータ識別子である。
【０１３３】
また、ＳＳＳが取り得る一部の値をＭＣ用としてリザーブすることによって、既存のＰＣＩの一部をＭＣ用として確保する（図１２参照）。リザーブされた値は、所定の識別子である。所定の識別子は、例えば、オペレータ識別子である。
【０１３４】
ＵＥ１００は、図１１又は図１２のセルＩＤ部分が同じであっても、所定の識別子部分が異なることにより、ＭＣ−ＤＲＳを送信したＭＣを識別可能である。
【０１３５】
ＵＥ１００は、ＭＣ−ＤＲＳに基づいて、ＭＣ２５０と同期を確立する。
【０１３６】
ステップＳ２０５からＳ２０８は、ステップＳ１０５からＳ１０８に対応する。ＵＥ１００は、ステップＳ２０５において、ＵＥ１００は、識別情報だけでなく、ステップＳ２０３における設定情報（例えば、ＭＣ−ＤＲＳの送信パターン）をｅＮＢ２００へ送信してもよい。
【０１３７】
なお、ステップＳ２０８の後、ステップＳ１０９と同様の処理が実行されてもよい。
【０１３８】
［第３実施形態］
次に、第３実施形態について、図１３を用いて説明する。図１３は、第３実施形態に係る動作を説明するためのシーケンス図である。
【０１３９】
第３実施形態では、ＵＥ１００は、ＭＣ２５０がＵＥ１００がアクセス可能なセルである場合に、興味インディケーションをｅＮＢ２００へ送信する。なお、上述と同様の説明は、適宜省略する。
【０１４０】
図１３において、ステップＳ３０１及びＳ３０２は、ステップＳ１０１及びＳ１０２に対応する。
【０１４１】
ステップＳ３０３において、ＭＣ２５０は、サイドリンクにおいて、ＭＣ２５０を識別するための識別情報を送信する。本実施形態において、識別情報は、ＰＣＩ（及び／又はＣＧＩ）だけでなく、ＰＬＭＮ（Ｐｕｂｌｉｃ  Ｌａｎｄ  Ｍｏｂｉｌｅ  Ｎｅｔｗｏｒｋ）内のＣＳＧ（Ｃｌｏｓｅｄ  Ｓｕｂｓｃｒｉｂｅｒ  Ｇｒｏｕｐ）を識別するための使用されるＣＳＧ識別子（ＣＳＧ  ＩＤ）及びトラッキングエリアを特定するためのトラッキングエリア識別子（ＴＡＩ：Ｔｒａｃｋｉｎｇ  Ａｒｅａ  Ｉｄｅｎｔｉｔｙ）の少なくともいずれかの情報を含んでもよい。
【０１４２】
ステップＳ３０４において、ＵＥ１００は、識別情報に基づいて、ＵＥ１００がＭＣ２５０にアクセス可能であるか否かを判断する。具体的には、ＭＣ２５０から受信したＣＳＧ  ＩＤがＵＥ１００が所属するＣＳＧを示す場合、すなわち、ＭＣ２５０がＣＳＧメンバである場合、ＵＥ１００は、ＭＣ２５０にアクセス可能であると判断する。ＭＣ２５０から受信したＣＳＧ  ＩＤがＵＥ１００が所属するＣＳＧを示さない場合、すなわち、ＭＣ２５０がＣＳＧメンバでない場合、ＵＥ１００は、ＭＣ２５０にアクセス不能であると判断する。
【０１４３】
ＵＥ１００は、ＭＣ２５０にアクセス可能であると判断した場合にのみ、ステップＳ３０５の処理を実行する。一方、ＵＥ１００は、ＭＣ２５０にアクセス不能であると判断した場合、処理を終了する。
【０１４４】
なおＣＳＧセルは、アクセス権を有するＵＥ１００（「メンバーＵＥ」と称される）のみがアクセス可能なセルである。
【０１４５】
ステップＳ３０５は、ステップＳ１０５に対応する。ＵＥ１００は、識別情報をｅＮＢ２００へ送信する。ここで、識別情報は、ＰＣＩ（及び／又はＣＧＩ）だけでなく、ＣＳＧ  ＩＤ及びＴＡＩの少なくとも一方を含んでもよい。
【０１４６】
なお、ＵＥ１００は、第１実施形態又は第２実施形態と同様の方法により、ＭＣ２５０と同期を確立することができる。
【０１４７】
ステップ３０６からＳ３０８は、ステップＳ１０６からＳ１０８に対応する。なお、ステップＳ３０６において、ｅＮＢ２００は、ＵＥ１００からＭＣ２５０のシステム情報（ＳＩ）を受信していない場合、ＭＣ２５０のシステム情報をＵＥ１００へ要求してもよい。ステップＳ３０８において、ＵＥ１００は、システム情報がｅＮＢ２００から要求されていた場合、ＭＣ２５０からの参照信号の測定結果だけでなく、ＣＧＩ、ＣＳＧ  ＩＤ及びＴＡＩをｅＮＢ２００へ報告してもよい。
【０１４８】
以上のように、ＵＥ１００は、ＭＣ２５０へアクセス可能である場合にのみ、興味インディケーションをｅＮＢ２００へ送信する。これにより、ＵＥ１００がＭＣ２５０へアクセス不能である場合には、興味インディケーションが送信されないため、不要なシグナリングを低減できる。
【０１４９】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１５０】
例えば、上述した各実施形態において、ＵＥ１００は、興味インディケーションをｅＮＢ２００へ送信していたが、これに限られない。ＵＥ１００は、興味インディケーションをｅＮＢ２００へ送信しなくてもよい。ＵＥ１００は、興味インディケーションを送信することなく、ＭＣ２５０からの識別情報及び／又は特別な同期信号を受信（モニタ）してもよい。
【０１５１】
また、上述した各実施形態において、ＵＥ１００は、ＭＣ２５０への接続にもはや興味がなくなったことを示すインディケーションをｅＮＢ２００へ送信してもよい。ＵＥ１００は、ＭＣ２５０への接続にもはや興味がなくなった場合に、当該インディケーションをｅＮＢ２００へ送信してもよい。ＵＥ１００は、ＭＣ２５０への接続にもはや興味がなくなった意図を当該インディケーションに含めてもよい。また、ＵＥ１００は、ＭＣ２５０への接続が完了した場合に、当該インディケーションをｅＮＢ２００へ送信してもよい。ＵＥ１００は、当該インディケーションをｅＮＢ２００の代わりに、ＭＣ２５０へ送信してもよい。或いは、ＵＥ１００は、当該インディケーションをｅＮＢ２００とＭＣ２５０への両方に送信してもよい。
【０１５２】
ｅＮＢ２００は、当該インディケーションをＵＥ１００から受信する。ｅＮＢ２００は、ＵＥ１００がＭＣ２５０へ接続するための制御を実行していた場合、当該制御を中止してもよい。例えば、ｅＮＢ２００は、ＭＣ２５０からの参照信号を測定するための設定情報の送信を中止してもよい。ｅＮＢ２００は、ＵＥ１００をＭＣ２５０へハンドオーバさせるためのハンドオーバ処理を中止してもよい。また、当該インディケーションを受信したＭＣ２５０は、ＵＥ１００がＭＣ２５０へ接続するための制御を実行していた場合、当該制御を中止してもよい。例えば、ＭＣ２５０は、ハンドオーバ処理を中止してもよい。
【０１５３】
上述した各実施形態に係る動作は、適宜組み合わせて実行されてもよい。また、上述した各シーケンスにおいて、必ずしも全ての動作が必須の構成ではない。例えば、各シーケンスにおいて、一部の動作のみが実行されてもよい。
【０１５４】
上述した各実施形態では特に触れていないが、上述した各ノード（ＵＥ１００、ｅＮＢ２００など）のいずれかが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１５５】
或いは、ＵＥ１００及びｅＮＢ２００のいずれかが行う各処理を実行するためのプログラムを記憶するメモリ及びメモリに記憶されたプログラムを実行するプロセッサ）によって構成されるチップが提供されてもよい。
【０１５６】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１５７】
日本国特許出願第２０１６−０１２３２６号（２０１６年１月２６日出願）の全内容が参照により本願明細書に組み込まれている。
【産業上の利用可能性】
【０１５８】
本発明は、無線通信分野において有用である。
【図１】
2017130743.tif 000003
【図２】
2017130743.tif 000004
【図３】
2017130743.tif 000005
【図４】
2017130743.tif 000006
【図５】
2017130743.tif 000007
【図６】
2017130743.tif 000008
【図７】
2017130743.tif 000009
【図８】
2017130743.tif 000010
【図９】
2017130743.tif 000011
【図１０】
2017130743.tif 000012
【図１１】
2017130743.tif 000013
【図１２】
2017130743.tif 000014
【図１３】
2017130743.tif 000015
【国際調査報告】
2017130743.tif 000016
2017130743.tif 000017
2017130743.tif 000018
2017130743.tif 000019